(57)【特許請求の範囲】
【請求項１】
ベース部材と、このベース部材に取付ける竿掛けアームからなり、
前記竿掛けアームに、このアームの水平状態時に上側となる側縁の両面に設けられ、アームの一方端部で開放し他端が閉塞された長さ方向のガイド溝と、竿掛けアームの一方端部で前記ガイド溝の上部位置に設けられ、アームの他方端部側に向く面が開放するフック部材と、竿掛けアームの一方端部両面で前記フック部材よりも下方の位置に設けられた係止ピンと、竿掛けアームの一方端部両面で前記フック部材と係止ピンの間に設けられ、竿掛けアームの一方端部で開放して下向きに湾曲する水平姿勢用の弧状溝と、この弧状溝の上縁途中から上向きに分岐するよう設けられた傾斜姿勢用の直線溝を形成し、
前記ベース部材が、竿掛けアームの一方端部側が挿入可能となる間隔で両側に対向する一対の垂直壁を備え、この垂直壁間の上下端部に、竿掛けアームの垂直姿勢でそのガイド溝を開放端から係合させることで、垂直姿勢の竿掛けアームを上下に移動可能となるようにする誘導部が設けられ、
前記ベース部材の垂直壁間の内部に、垂直姿勢にある竿掛けアームのフック部材がこの竿掛けアームの上下動によって係脱自在となり、一定ストロークを上下に移動可能となるフック係止軸と、前記垂直壁の対向面に形成され、フック部材が係合した上昇位置にあるフック係止軸を支点に回動させた竿掛けアームの係止ピンが抜き差し可能に嵌まる円弧溝と、この両円弧溝の途中で下部の位置に、下降位置にあるフック係止軸にフック部材を係止した竿掛けアームの係止ピンを落とし込むことで、竿掛けアームを斜め上向きの傾斜状態に保持する傾斜姿勢用規制部と、前記円弧溝の内端側に位置し、上昇位置にあるフック係止軸にフック部材を係止した竿掛けアームの係止ピンを受けることで、竿掛けアームを水平状態に保持する水平姿勢用規制部と、前記両垂直壁の内面でフック係止軸の下方位置に突出し、竿掛けアームの水平姿勢状態で弧状溝が嵌まり合い、竿掛けアームが斜め上向きの傾斜姿勢状態で直線溝が嵌まる角度保持ピンを設けた竿受け装置。
【請求項２】
上記垂直姿勢の竿掛けアームを上下に移動可能となるようにするベース部材の誘導部が、垂直壁の対向面で先端部上下の位置に設けられ、竿掛けアームに形成したガイド溝の断面形状に嵌まり合う突起によって形成されている請求項１に記載の竿受け装置。
【請求項３】
上記ベース部材における垂直壁の対向面にそれぞれ合成樹脂のスペーサが取付けられ、このスペーサの下部対向面に、上記円弧溝の一部が形成されている請求項１又は２に記載の竿受け装置。
【請求項４】
上記ベース部材が、構造物に固定する取付け座を備えた壁付けタイプである請求項１乃至３の何れかに記載の竿受け装置。
【請求項５】
上記ベース部材が、構造物に取付ける支柱の上端部に固定する支柱取付けタイプである請求項１乃至３の何れかに記載の竿受け装置。
【発明の詳細な説明】
【技術分野】
【０００１】
この発明は、物干し竿を支持するためベランダ等の立ち上がり部分に取付ける竿受け装置に関する。
【背景技術】
【０００２】
上記竿受け装置は、ベランダ等の立ち上がり部分に固定するベース部材と、このベース部材に取付ける竿掛けアームからなり、一対の竿受け装置を所定の間隔で配置し、両竿掛けアームで物干し竿を支持するものであり、使用しない時は竿掛けアームを垂直姿勢にして突出量を少なくし、洗濯物を干す時は、竿掛けアームを水平姿勢もしくは斜め上向きの傾斜姿勢にすることができるよう、竿掛けアームの姿勢を可変とした竿受け装置が既に提案されている。
【０００３】
従来の竿受け装置において、竿掛けアームの姿勢を可変とするための装置は、竿掛けアームを垂直姿勢と斜め上向きの傾斜姿勢に可変とするものが大半であるが、（特許文献１と２参照）竿掛けアームの水平姿勢を含む多段階の姿勢変化を可能としたものもある（特許文献３参照）。
【特許文献１】特開２００５−５８５７８号公報
【特許文献２】特開２００４−３３７２６５号公報
【特許文献３】特開２００３−１７５３００号公報
【発明の開示】
【発明が解決しようとする課題】
【０００４】
ところで、従来の竿掛けアームの姿勢を可変とするための装置は、その何れも構造が複雑で製作コストが高くつき、しかも、竿掛けアームの姿勢変更操作に手間がかかるという問題がある。
【０００５】
そこで、この発明の課題は、構造が簡単で竿掛けアームの垂直と斜め上向きの傾斜及び水平の姿勢変更操作が手軽に行える竿受け装置を提供することにある。
【課題を解決するための手段】
【０００６】
上記のような課題を解決するため、この発明は、ベース部材と、このベース部材に取付ける竿掛けアームからなり、前記竿掛けアームに、このアームの水平状態時に上側となる側縁の両面に設けられ、アームの一方端部で開放し他端が閉塞された長さ方向のガイド溝と、竿掛けアームの一方端部で前記ガイド溝の上部位置に設けられ、アームの他方端部側に向く面が開放するフック部材と、竿掛けアームの一方端部両面で前記フック部材よりも下方の位置に設けられた係止ピンと、竿掛けアームの一方端部両面で前記フック部材と係止ピンの間に設けられ、竿掛けアームの一方端部で開放して下向きに湾曲する水平姿勢用の弧状溝と、この弧状溝の上縁途中から上向きに分岐するよう設けられた傾斜姿勢用の直線溝を形成し、前記ベース部材が、竿掛けアームの一方端部側が挿入可能となる間隔で両側に対向する一対の垂直壁を備え、この垂直壁間の上下端部に、竿掛けアームの垂直姿勢でそのガイド溝を開放端から係合させることで、垂直姿勢の竿掛けアームを上下に移動可能となるようにする誘導部が設けられ、前記ベース部材の垂直壁間の内部に、垂直姿勢にある竿掛けアームのフック部材がこの竿掛けアームの上下動によって係脱自在となり、一定ストロークを上下に移動可能となるフック係止軸と、前記垂直壁の対向面に形成され、フック部材が係合した上昇位置にあるフック係止軸を支点に回動させた竿掛けアームの係止ピンが抜き差し可能に嵌まる円弧溝と、この両円弧溝の途中で下部の位置に、下降位置にあるフック係止軸にフック部材を係止した竿掛けアームの係止ピンを落とし込むことで、竿掛けアームを斜め上向きの傾斜状態に保持する傾斜姿勢用規制部と、前記円弧溝の内端側に位置し、上昇位置にあるフック係止軸にフック部材を係止した竿掛けアームの係止ピンを受けることで、竿掛けアームを水平状態に保持する水平姿勢用規制部と、前記両垂直壁の内面でフック係止軸の下方位置に突出し、竿掛けアームの水平姿勢状態で弧状溝が嵌まり合い、竿掛けアームが斜め上向きの傾斜姿勢状態で直線溝が嵌まる角度保持ピンを設けた構成を採用したものである。
【０００７】
上記垂直姿勢の竿掛けアームを上下に移動可能となるようにするベース部材の誘導部が、垂直壁の対向面で先端部上下の位置に設けられ、竿掛けアームに形成したガイド溝の断面形状に嵌まり合う突起によって形成されているようにしたり、上記ベース部材における垂直壁の対向面にそれぞれ合成樹脂のスペーサが取付けられ、このスペーサの下部対向面に、上記円弧溝の一部が形成されているようにすることができる。
【０００８】
また、上記ベース部材が、構造物に固定する取付け座を備えた壁付けタイプであるようにしたり、上記ベース部材が、構造物に取付ける支柱の上端部に固定する支柱取付けタイプであるようにすることができる。
【０００９】
ここで、上記竿掛けアームのガイド溝は、アームの両面で上下に平行して設けた鍔の間に形成され、長さ方向の一方端部で開放すると共に先端側が閉塞され、フック部材は上位鍔の上面で一方端部の位置に、上位鍔と一体に横向きＵ字状に連成され、両側上位鍔には、フック部材から先端側寄りの位置に切り欠きが設けられ、竿掛けアームを垂直姿勢にした時、この切り欠き部分が上部誘導部を通過することでガイド溝を誘導部に嵌め合わせることが可能になっている。
【００１０】
また、壁付けタイプにおけるベース部材は、両垂直壁の上部と下部を上端壁と下端壁で結合して上下に長い角型の筒体を形成し、この角型筒体の後部上下に取付け座が設けられている。
【００１１】
上記支柱タイプにおけるベース部材は、両垂直壁の後部に支柱への取付け部を連成した二つ割り構造となり、取付け部を支柱の上端部に両側から挟むようにして固定することにより、両垂直壁が支柱の前面において所定間隔の対向配置となる。
【発明の効果】
【００１２】
この発明によると、ベース部材に取付けた竿掛けアームを、垂直姿勢と斜め上向きの傾斜姿勢及び水平姿勢の三種類に姿勢を変化させることができ、この姿勢変更が単に竿掛けアームの上下動と回動操作によって行え、ピンやボルト等の他の部材を用いた姿勢の係止作業が不要になるので、姿勢を変化させるための操作が簡単に行える。
【００１３】
また、ベース部材に角度保持ピンを設け、竿掛けアームの水平姿勢状態で弧状溝が嵌まり合い、竿掛けアームが斜め上向きの傾斜姿勢状態で直線溝が嵌まるようにしたので、竿掛けアームの水平姿勢状態と傾斜姿勢状態の何れにおいても、角度保持ピンによって姿勢と荷重の支持が行え、竿掛けアームの姿勢保持が安定すると共に、荷重支持能力が向上する。
【００１４】
更に、竿掛けアームの姿勢変更が竿掛けアームの上下動と回動操作を併用しているので、竿掛けアームが不用意に角度変化することがなく、安全性の向上が図れることになる。
【発明を実施するための最良の形態】
【００１５】
以下、この発明の実施の形態を添付図面に基づいて説明する。
【００１６】
図１乃至図１２に示す第１の実施の形態の竿受け装置１は、壁付けタイプであり、ベランダ等の立ち上がり部分Ａに固定するベース部材２と、このベース部材２に取付ける竿掛けアーム３によって形成されている。
【００１７】
上記竿掛けアーム３は、図４乃至図６のように、長いフラットな垂直配置となる板体４で形成され、板体４長さ方向に所定の間隔で複数の竿受け孔５が並べて設けられ、このアーム３には、アーム３の水平状態時に板体４の上側となる側縁の両面に長さ方向のガイド溝６と、竿掛けアーム３の一方端部で前記ガイド溝６の上部位置に設けられ、アーム３の他方端部側に向く面が開放するフック部材７と、竿掛けアーム３の一方端部両面で前記フック部材７よりも下方の位置に設けられた係止ピン８と、竿掛けアーム３の一方端部両面で前記フック部材７と係止ピン８の間に設けられ、竿掛けアーム３の一方端部で開放して下向きに湾曲する水平姿勢用の弧状溝９と、この弧状溝９の上縁途中から上向きに分岐するよう設けられた傾斜姿勢用の直線溝１０が形成されている。
【００１８】
上記ガイド溝６は、アーム３の両面で上下に平行して設けた一対の鍔１１の間で形成され、長さ方向の一方端部で開放すると共に先端側が閉塞された直線状となり、フック部材は上位鍔１１の上面で一方端部の位置に、上位鍔１１と一体に横向きＵ字状に連成され、両側上位鍔１１には、フック部材７から先端側寄りの位置に切り欠き１２が設けられている。
【００１９】
なお、上記係止ピン８には樹脂製のチューブ１３が外嵌してあると共に、ガイド溝６の閉塞端には緩衝ストッパー部材１４が嵌め込んである。
【００２０】
上記ベース部材２は、図６乃至図１２に示すように、竿掛けアーム３の一方端部側が挿入可能となる間隔で両側に対向した一対の垂直壁１５と、両垂直壁１５の上部と下部を上端壁１６と下端壁１７で結合し、後部に後壁１８を設けて前面が開放する上下に長い角型の筒体１９に形成され、この角型筒体１９の後部上下にボルト挿通孔２０を有する取付け座２１が設けられている。
【００２１】
上記ベース部材２の上端壁１６と下端壁１７に、竿掛けアーム３の垂直姿勢でそのガイド溝６を設けた部分が上下に移動可能となるように嵌まる切り欠き２２が先端で開放するよう設けられ、この切り欠き２２の先端部で両側対向縁に、垂直姿勢の竿掛けアーム３をそのガイド溝６の開放端から係合させることで、垂直姿勢の竿掛けアーム３を上下に移動可能となるようにする誘導部２３が設けられている。
【００２２】
上記誘導部２３は、竿掛けアーム３に形成したガイド溝６の断面形状に嵌まり合う突起２３ａによって形成され、上部の切り欠き２２は上部側の鍔１１が納まる奥行きに設定されているのに対して、下部の切り欠き２２はフック部７が通過する奥行きになっている。
【００２３】
上記両垂直壁１５の対向する内面に合成樹脂のスペーサ２４をそれぞれ重ねてスプリング割りピン２５で固定し、両スペーサ２４の対向面間を竿掛けアーム３の鍔１１の幅が納まる間隔に設定し、竿掛けアーム３の移動操作時の滑り性を良くすると共に、金属音の発生を防ぐようにしている。
【００２４】
なお、両垂直壁１５の対向する内面で先端側の上下位置には、誘導部２３を形成する突起２３ａの延長部２３ｂが設けてある。
【００２５】
上記角型筒体１９の内部で両側スペーサ２４間の上部位置に、垂直姿勢にある竿掛けアーム３のフック部材７がこの竿掛けアーム３の上下動によって係脱自在となり、一定ストロークを上下に移動可能となるフック係止軸２６が配置されている。
【００２６】
上記フック係止軸２６の取付けは、ベース部材２の後壁１８に設けた角孔２７から両側スペーサ２４間に二又状の軸受座金２８を挿入してビス２９で後壁１８のねじ孔３０に固定し、この軸受座金２８の両側対向壁２８ａに設けた上下方向の長孔３１でフック係止軸２６の両端を支持し、フック係止軸２６を長孔３１の範囲で上下動自在にしている。
【００２７】
上記ベース部材２における角型筒体１９の内部には、上昇位置にあるフック係止軸２６にフック部材７を係合した状態で、このフック係止軸２６を支点に竿掛けアーム３を回動させた時、この竿掛けアーム３の係止ピン８が抜き差し可能に嵌まる両側の円弧溝３２と、この両円弧溝３２の途中で下部の位置に、下降位置にあるフック係止軸２６にフック部材７を係止した竿掛けアーム３の係止ピン８を落とし込むことで、竿掛けアーム３を斜め上向きの傾斜状態に保持する傾斜姿勢用規制部３３(図１２（ｂ）参照)と、前記円弧溝３２の内端側に位置し、上昇位置にあるフック係止軸２６にフック部材７を係止した竿掛けアーム３の係止ピン８を受けることで、竿掛けアーム３を水平状態に保持する水平姿勢用規制部３４(図１２（ｃ）参照)が設けられている。
【００２８】
上記円弧溝３２は、上昇位置にあるフック係止軸２６を中心とする円弧になり、図１０のように、側面がスペーサ２４の下部対向面に設けた凹部３２ａと底面３２ｂが角型筒体１９の下端壁１７とで両側に対向するよう形成され、スペーサ２４の先端面で開放することにより、係止ピン８の抜き差しが可能になっている。
【００２９】
上記傾斜姿勢用規制部３３は、角型筒体１９の下端壁１７に設けたきり欠き２２を挟む両側において、円弧溝３２の途中で下縁から下方へ垂直に連なり、係止ピン８が落ち込む凹部によって形成され、この凹部の後部垂直段部３３ａと下部水平段部３３ｂによって係止ピン８を後方へ回動が生じないように支持する構造になっている。
【００３０】
また、上記水平姿勢用規制部３４は、ベース部材２における後壁１８の円弧溝３２の後端に位置する垂直面３４ａによって形成され、係止ピン８を後方へ回動が生じないように支持するようになっている。
【００３１】
上記円弧溝３２の中間最底部と傾斜姿勢用規制部３３の下部水平段部３３ｂの上下の高さ位置が、フック係止軸２６の上下動ストロークに見合うように設定され、フック係止軸２６が下降位置にあって傾斜姿勢用規制部３３に係止ピン８が落ち込んだ状態で、竿掛けアーム３は斜め上向きの傾斜姿勢に保持され、この状態から竿掛けアーム３を持ち上げてフック係止軸２６を上昇位置にすると、係止ピン８が円弧溝３２内に臨み、フック係止軸２６を支点とする竿掛けアーム３の回動が可能になる。
【００３２】
上記両スペーサ２４の対向面でフック係止軸２６の下方位置の両側に、垂直壁１５とスペーサ２４を貫通してスペーサ２４の内面側に突出し、竿掛けアーム３の水平姿勢状態で弧状溝９が嵌まり合い、竿掛けアーム３が斜め上向きの傾斜姿勢状態で直線溝１０が嵌まる角度保持ピン３５が設けられている。
【００３３】
第１の実施の形態の竿受け装置１は、上記のような構成であり、ベランダ等の立ち上がり部分Ａにベース部材２を固定することにより、竿を支持する間隔を設けて一対の竿受け装置１を配置する。
【００３４】
竿受け装置１は、ベース部材２の角型筒体１９内に竿掛けアーム３の後端側を挿入し、フック部材７をフック係止軸２６に係合させ、これによって竿掛けアーム３をベース部材２に対して抜け止め状に取付けた状態にしておく。
【００３５】
図１２（ａ）は、竿掛けアーム３を垂直の姿勢に保持する場合の状態を示し、上昇位置にあるフック係止軸２６を支点に竿掛けアーム３を上方へ回動させれば、係止ピン８が円弧溝３２から外れてベース部材２の外部に位置し、竿掛けアーム３は垂直姿勢で切り欠き１２が上部誘導部２３を通過し、この垂直姿勢のまま竿掛けアーム３を下方に移動させれば、フック部材７がフック係止軸２６から離れ、ガイド溝６が上下の誘導部２３に係合することで、竿掛けアーム３は垂直姿勢が保持され、ガイド溝６の先端側閉塞端が上部誘導部２３に当接した抜け止め位置に下降し、図１のように、竿掛けアーム３の垂直格納状態となる。
【００３６】
次に、垂直姿勢の竿掛けアームを斜め上向きの傾斜姿勢にするには、図１２（ａ）に実線で示すように、垂直姿勢の竿掛けアーム３を上昇位置に引き上げ、この状態で竿掛けアーム３を図１２（ｂ）の矢印で示す倒し方向に回動させると、係止ピン８が円弧溝３２内に進入し、係止ピン８が円弧溝３２内に進入した時点で、竿掛けアーム３の持ち上げを解けば、係止ピン８が傾斜姿勢用規制部３３の凹部に落ち込み、竿掛けアーム３全体とフック係止軸２６がこのフック係止軸２６の上下動ストローク分だけ下降し、凹部の後部垂直段部３３ａと下部水平段部３３ｂに係止ピン８が当接することで、竿掛けアーム３の回動が規制され、図２と図１２（ｂ）に示すように、竿掛けアーム３は例えば水平に対して斜め上向に３５°の傾斜角度に保持される。
【００３７】
上記のような上昇位置のフック係止軸２６を支点とする竿掛けアーム３の下向き回動時に、竿掛けアーム３に設けた弧状溝９が角度保持ピン３５に進入し、上記係止ピン８が傾斜姿勢用規制部３３の凹部に落ち込む竿掛けアーム３の下降によって、傾斜姿勢用の直線溝１０が角度保持ピン３５に係合し、竿掛けアーム３は持ち上げないかぎり斜め上向きの姿勢を解除することができないようにする。
【００３８】
また、上記した斜め上向き姿勢の竿掛けアーム３を水平姿勢にするには、竿掛けアーム３を上昇位置に引き上げ、係止ピン８を円弧溝３２内に位置させた状態で、図１２（ｃ）の矢印で示す倒し方向に回動させると、係止ピン８が円弧溝３２の後端側に移動し、水平姿勢用規制部３４の垂直面３４ａに当接することにより、竿掛けアーム３の回動が規制され、竿掛けアーム３は図３と図１２（ｃ）のように水平の姿勢に保持される。
【００３９】
このとき、上昇位置のフック係止軸２６を支点とする竿掛けアーム３の下向き回動時に、竿掛けアーム３に設けた直線溝１０が角度保持ピン３５から抜け、上記弧状溝９の閉塞先端が角度保持ピン３５に当接し、竿掛けアーム３を持ち上げないかぎり水平の姿勢を解除することができないようになる。
【００４０】
更に、水平姿勢の竿掛けアーム３を傾斜姿勢にするには、上昇位置のフック係止軸２６を支点として竿掛けアーム３を上向に少し回動させ、その途中で係止ピン８を傾斜姿勢用規制部３３の凹部に落し込むようにすればよく、また、水平姿勢から直接竿掛けアーム３を垂直格納状態にするには、上昇位置のフック係止軸２６を支点として竿掛けアーム３を垂直になるまで回動させ、図１２（ａ）の状態にして下降させればよい。
【００４１】
次に、図１３乃至図１７は、第２の実施の形態の竿受け装置１ａを示している。この竿受け装置１ａは支柱タイプであるが、基本的に第１の実施の形態と共通するので、第１の実施の形態と同一部分には同一符号を付して説明に代える。
【００４２】
この第２の実施の形態の竿受け装置１ａは、ベランダ等の立ち上がり部分Ａに固定する取付けベース４１と、この取付けベース４１に取付ける支柱４２と、支柱４２の上端に固定するベース部材２と、ベース部材２に取付ける竿掛けアーム３によって形成されている。
【００４３】
上記取付けベース４１と支柱４２は、周知のように、立ち上がり部分Ａに固定した取付けベース４１で断面角筒形の支柱４２を上下動自在に保持し、取付けベース４１に操作部材４３で出没するラッチ４４を設けると共に、支柱４２の背面に上下一定の間隔でラッチ４４の係止孔４５を設け、取付けベース４１に対して支柱４２を上下動させ、ラッチ４４に対して係止する係止孔４５の位置を選ぶことにより、支柱４２の高さ位置を係止孔４５の上下間隔で間歇的に調整することができるようになっている。
【００４４】
支柱４２の上端に固定するベース部材２は、両垂直壁１５の後部に支柱４２への取付け部４６を連成し、第１の実施形態における角型筒体１９を両側に二つ割りしたような構造となり、取付け部４６を支柱４２の上端部に両側から挟むようにしてピン４７で固定することにより、両垂直壁１５が支柱の前面において第１の実施形態と同様の間隔で対向配置となる。
【００４５】
両垂直壁１５の対向面は、第１の実施形態と同様の構造を有し、この両垂直壁１５の対向面間に竿掛けアーム３が第１の実施形態と同様の条件で取付けられ、支柱４２の前面には垂直姿勢の竿掛けアーム３におけるガイド溝６の誘導溝形部材４８が固定されている。
【００４６】
この第２の実施の形態の竿受け装置１ａにおいても、支柱４２の上端において、竿掛けアーム３の姿勢を第１の実施形態と同様の操作で、垂直格納状態（図１４）と斜め上向きの傾斜状態（図１５）及び水平状態（図１６）に変化させることができる。
【００４７】
図１８は、第２の実施の形態の竿受け装置１ａにおいて、垂直格納状態にした竿掛けアーム３は、ベース部材２に上側端部が保持されて吊り下げ状になっているので、竿掛けアーム３が風を受けて揺れ、フック部材７が支柱４２の誘導溝形部材４８と衝突することによる騒音の発生を防ぐことができるようにした例を示し、上記支柱４２の誘導溝形部材４８内で、垂直格納状態にした竿掛けアーム３のフック部材７が位置する部分に合成樹脂製のストッパー５１が固定されている。
【００４８】
このストッパー５１は、誘導溝形部材４８の内部断面形状に適合するブロック体の上半部に、上端と誘導溝形部材４８の開口面側とで開放して横断面コ字形となり、垂直格納状態にした竿掛けアーム３のフック部材７が嵌まり込む凹欠部５２と、下部の位置に誘導溝形部材４８へねじ込んでストッパー５１を固定するビス５３の収納孔５４を設け、前記した凹欠部５２の両側対向面の上端部を下部が内側に向けて接近する傾斜面５５とし、更に、凹欠部５２の後面の途中から下部を凹欠部５２の開放面に向けて接近する傾斜面５６としている。
【００４９】
図１８（ａ）と（ｂ）のように、竿掛けアーム３を垂直姿勢にして下降させ、垂直格納状態にすると、凹欠部５２に嵌まり込むフック部材７は、各傾斜面５５、５６で中央位置及び誘導溝形部材４８の開口面側に押され、竿掛けアーム３の上端部とこれを保持するベース部材２をこじるようにすることで、竿掛けアーム３をベース部材２と誘導溝形部材４８に固定化し、風圧による竿掛けアーム３の揺れで騒音が発生するのを防いでいる。
【００５０】
図１９と図２０は、第１及び第２の実施の形態の竿受け装置１、１ａにおいて、ベース部材２に対して竿掛けアーム３を移動させた場合の金属音の発生を抑えるようにした例を示し、角度保持ピン３５のスペーサ２４から筒体１９内に突出する内端に、樹脂やゴム製のキャップ３５ａを被せ、竿掛けアーム３の弧状溝９及び直線溝１０と角度保持ピン３５の直接的な接触をなくし、金属音の発生を防いでいる。
【００５１】
また、スペーサ２４の上下に設けた延長部２３ｂを、誘導部２３を形成する突起２３ａよりも少し広幅とすると共に、この延長部２３ｂに両側突起２３ａの対向面側を覆う覆い板５７を設け、竿掛けアーム３を垂直の姿勢で上下動させるとき、ガイド溝６が上下及び両側の突起２３ａと接触しないようにすることで、金属音の発生を防ぐと共に、竿掛けアーム３に擦り傷の発生するのを防止するようにしている。
【００５２】
更に、上記スペーサ２４の上下端部のコーナで延長部２３ｂの根元位置に小突起５８を設け、図２０のように、ベース部材２における垂直壁１５の上下端のコーナに設けた嵌合凹部５９に前記小突起５８を嵌め合わせ、垂直壁１５の内面に重ねたスペーサ２４の前縁部が垂直壁１５から離れることのないようにしている。
【図面の簡単な説明】
【００５３】
【図１】（ａ）は第１の実施の形態の竿受け装置を示す竿掛けアームの垂直格納状態の縦断正面図、（ｂ）は同上の横断平面図
【図２】第１の実施の形態の竿受け装置を示す竿掛けアームの斜め上向きの傾斜状態の縦断正面図
【図３】第１の実施の形態の竿受け装置を示す竿掛けアームの水平格納状態の縦断正面図
【図４】（ａ）は第１の実施の形態の竿受け装置における竿掛けアームの拡大した正面図、（ｂ）は（ａ）の矢印ｂ−ｂでの縦断側面図、（ｃ）は（ａ）の矢印ｃ−ｃでの縦断側面図、（ｄ）は（ａ）の矢印ｄ−ｄでの縦断側面図
【図５】（ａ）は第１の実施の形態の竿受け装置における竿掛けアームの斜視図、（ｂ）は竿掛けアームの後端部の構造を示す拡大した斜視図、（ｃ）は竿掛けアームの先端部の構造を示す拡大した斜視図
【図６】第１の実施の形態の竿受け装置を示す全体構造の分解斜視図
【図７】（ａ）は第１の実施の形態の竿受け装置におけるベース部材の拡大した縦断正面図、（ｂ）は（ａ）の矢印ｂ−ｂでの横断平面図、（ｃ）は（ａ）の矢印ｃ−ｃでの横断平面図、（ｄ）は（ａ）の矢印ｄ−ｄでの横断平面図、（ｅ）は（ａ）の矢印ｅ−ｅでの横断平面図
【図８】第１の実施の形態の竿受け装置におけるベース部材の拡大した側面図
【図９】（ａ）は第１の実施の形態の竿受け装置におけるスペーサの正面図、（ｂ）は（ａ）の矢印ｂ−ｂでの縦断側面図、（ｃ）は（ａ）の側面図、（ｄ）は（ａ）の平面図
【図１０】第１の実施の形態の竿受け装置におけるベース部材にスペーサを組み込んだ状態の拡大した縦断正面図
【図１１】図１０の平面図
【図１２】（ａ）は第１の実施の形態の竿受け装置における要部で竿掛けアームの垂直格納状態の縦断正面図、（ｂ）は同竿掛けアームの斜め上向きの傾斜状態の縦断正面図、（ｃ）は同竿掛けアームの水平格納状態の縦断正面図
【図１３】第２の実施の形態の竿受け装置を示す竿掛けアームの傾斜状態の正面図
【図１４】（ａ）は第２の実施の形態の竿受け装置を示す竿掛けアームの垂直格納状態の縦断正面図、（ｂ）は同横断平面図
【図１５】第２の実施の形態の竿受け装置を示す竿掛けアームの傾斜状態の正面図
【図１６】第２の実施の形態の竿受け装置を示す竿掛けアームの水平状態の正面図
【図１７】第２の実施の形態の竿受け装置を示す全体構造の分解斜視図
【図１８】（ａ）は第２の実施の形態の竿受け装置において、垂直格納状態にした竿掛けアームが風圧による揺れで騒音が発生するのを防いだ状態を示す正面図、（ｂ）は要部を拡大した一部切り欠き正面図、（ｃ）は（ｂ）の矢印ｃ−ｃの横断平面図、（ｄ）はスペーサの斜視図
【図１９】第１及び第２の実施の形態の竿受け装置において、ベース部材の他の例を示す分解斜視図
【図２０】第１及び第２の実施の形態の竿受け装置において、ベース部材の他の例を示す一部組み立て状態の拡大した分解斜視図
【符号の説明】
【００５４】
１        竿受け装置
２        ベース部材
３        竿掛けアーム
４        板体
５        竿受け孔
６        ガイド溝
７        フック部材
８        係止ピン
９        弧状溝
１０      直線溝
１１      鍔
１２      切り欠き
１３      チューブ
１４      緩衝ストッパー部材
１５      垂直壁
１６      上端壁
１７      下端壁
１８      後壁
１９      筒体
２０      ボルト挿通孔
２１      取付け座
２２      切り欠き
２３      誘導部
２３ａ    突起
２４      スペーサ
２５      割りピン
２６      係止軸
２７      角孔
２８      軸受座金
２９      ビス
３０      ねじ孔
３１      長孔
３２      円弧溝
３３      傾斜姿勢用規制部
３４      水平姿勢用規制部
３５      角度保持ピン
４１      取付けベース
４２      支柱
４３      操作部材
４４      ラッチ
４５      係止孔
４６      取付け部
４７      ピン
４８      誘導溝形部材
５１      ストッパー
５２      凹欠部
５３      ビス
５４      収納孔
５５      傾斜面
５６      傾斜面
５７      覆い板
５８      小突起
５９      嵌合凹部
【図１】
0004580311.tif 000002
【図２】
0004580311.tif 000003
【図３】
0004580311.tif 000004
【図４】
0004580311.tif 000005
【図５】
0004580311.tif 000006
【図６】
0004580311.tif 000007
【図７】
0004580311.tif 000008
【図８】
0004580311.tif 000009
【図９】
0004580311.tif 000010
【図１０】
0004580311.tif 000011
【図１１】
0004580311.tif 000012
【図１２】
0004580311.tif 000013
【図１３】
0004580311.tif 000014
【図１４】
0004580311.tif 000015
【図１５】
0004580311.tif 000016
【図１６】
0004580311.tif 000017
【図１７】
0004580311.tif 000018
【図１８】
0004580311.tif 000019
【図１９】
0004580311.tif 000020
【図２０】
0004580311.tif 000021